(57)【要約】【課題】  本発明は動力源を使用しないで、箱の外フラップを開くことができ、装置そのものも簡素化し経済的なものを得るにある。【解決手段】  箱組立にあたって内外フラップの干渉を防止するための外フラップ開き装置であって、大小の箱を乗せることが出来る台座と、前記台座を支え台座上の箱に荷重を掛けた時台座と外フラップを外方向に移動さす部材と、前記箱を台座から取り去った時原位置まで戻すバランスウエイトと、前記台座がバランスウエイトで原位置まできて止まるためのストッパーとから装置を構成している。【選択図】  図１
2006150918.tif 000002
【特許請求の範囲】
【請求項１】
箱組立にあたって内外フラップの干渉を防止するための外フラップの開装置であって、大小の箱を載せることが出来る台座と、前記台座を支え台座上の箱に荷重を掛けた時台座と外フラップを外方向に移動さす部材と、前記箱を台座から取り去った時原位置まで戻すバランスウエイトと、前記台座がバランスウエイトで原位置まできて止まるためのストッパーとからなることを特徴とする外フラップ開装置。
【請求項２】
箱組立にあたって内外フラップの干渉を防止するための外フラップ開装置であって、大小の箱を載せることが出来る台座と、前記台座を内側と外側に引張りバランスを取る内側と外側に取り付けたバランスウエイトと、前記台座には箱の自重がかかった時台座と外フラップを外方向に移動さす部材と、前記の台座から箱の自重を取り去った時台座が原位置に戻った時止めるストッパーとからなることを特徴とする外フラップ開装置。
【請求項３】
箱組立にあたって内外フラップの干渉を防止するための外フラップ開装置であって、大小の箱を載せることができる台座と、前記台座は一対で成り立ち内側と外側を弾性体で繋ぎ該台座のそれぞれの外側には該弾性体と同等の張力が出るバランスウエイトと、前記台座から箱の自重を取り去った時台座が原位置に戻った時止めるストッパーとからなることを特徴とする外フラップ開装置。
【発明の詳細な説明】
【技術分野】
【０００１】  本発明は、箱の内フラップを内側に折り畳む時、外フラップに干渉しない装置に関する。
【背景技術】
【０００２】  従来、箱の内フラップが外フラップとの干渉を避けるため、外フラップをシリンダー、小型モーター等の力で外側に開いておき、後、内フラップを内側に折り曲げる方法が考えられている。【０００３】  しかしながら、従来のシリンダー、小型モーター等の動力源を用いて外フラップを外側に開く方法は、動力源を用いるためランニングコストもかかり、装置そのものも複雑化し、経済的ではないと言う欠点があった。
【特許文献】  特開２００３−１０３６５７
【発明の開示】
【発明が解決しようとする課題】
【０００４】  本発明は、以上のような従来の欠点に鑑み、本発明は動力源を使用しないで、箱の外フラップを開くことができ、装置そのものも簡素化し経済的にすることを目的とする。【０００５】  本発明の前記ならびにそのほかの目的と新規な特徴は次の説明を添付図と照らし合わせて読むと、より完全に明らかになるだろう。
ただし、図面はもっぱら解説のためのものであって、本発明の技術的範囲を限定するものではない。
【課題を解決するための手段】
【０００６】  上記目的を達成するため、本発明は箱組立にあたって内外フラップの干渉を防止するための外フラップの開装置であって、大小の箱を載せることが出来る台座と、前記台座を支え台座上の箱に荷重を掛けた時台座と外フラップを外方向に移動さす部材と、前記箱を台座から取り去った時原位置まで戻すバランスウエイトと、前記台座がバランスウエイトで原位置まできて止まるためのストッパーとから構成されている。
【発明の効果】
【０００７】  以上の説明から明らかなように、本発明にあたっては次に列挙する効果が得られる。
（１）箱組立にあたって内外フラップの干渉を防止するための外フラップの開装置であって、大小の箱を載せることが出来る台座と、前記台座を支え台座上の箱に荷重を掛けた時台座と外フラップを外方向に移動さす部材と、前記箱を台座から取り去った時原位置まで戻すバランスウエイトと、前記台座がバランスウエイトで原位置まできて止まるためのストッパーとから構成されているので、従来大小の箱の外フラップをエアーシリンダー、小型モーター等で外方向へ移動させていたのと比較し、本発明はエアーシリンダー、小型モーター等の動力源を使わないで台座上の箱へ垂直方向から軽い力を加えるだけで外フラップは外方向へ開く。
よって、外フラップが開いた状態で内フラップが内側におり込まれて来るため、内外フラップが相互に干渉し破損することが防止できる。
また、台座から箱を取り去った時、動力源を使用しないでバランスウエイトの力で台座は原位置に移動し、ストッパーで止まる機構のため簡素化もされているし経済的でもある。【０００８】  （２）動力源がない分ランニングコストもかからない。【０００９】  （３）また、台座から箱を取り去ったら、即、台座が原位置に戻り次ぎの作業に掛かれるため、作業効率も上がる。【００１０】  （４）請求項２および請求項３からは前記（１）から（３）と同様の効果が得られる。
更に、本発明では、内側と外側のバランスが均一となっているため、箱に垂直方向から力を加えることなく、箱の自重のみで台座と外フラップは外方向に移動して外フラップは開き、内フラップが畳みこまれてくるので、内外フラップが相互に干渉しないので、箱の破損は防止できる。箱を取り去った後、バランスウエイト、或いは、弾性体である引張りバネの力で直ぐに元の位置に戻る。このため、作業能率が上がり経済的である。
【発明を実施するための最良の形態】
【００１１】  以下図面に示す実施するための最良の形態より、本発明を詳細に説明する。【００１２】  図１ないし図３は本発明の第１の実施するための最良の形態において、１は外フラップ開装置で、２は箱で、３は外フラップである。台座５は、リンク機構（Ａ）１０、リンク機構（Ｂ）１１で支持され、リンク機構（Ａ）１０にはそれぞれ内側にバランスウエイト（Ａ）６が設置されている。【００１３】  ストッパー（Ａ）８は、外フラップ装置が移動する原点となるよう止めておくものである。ストッパー（Ｂ）９は、箱２が台座５に搭載され、台座５が外方向に移動し規定の位置に止めるためのものである。【００１４】  台座５はアルミ、樹脂等を用いるのが良く、リンク機構（Ａ）、（Ｂ）、１０、１１は鉄、非鉄、等何れでもよい。ストッパー（Ａ）、（Ｂ）８、９は衝撃荷重がかかるケースがあるので鉄系が好ましい。【００１５】  図１０は内フラップ２４を内側に折り曲げようとする時、外フラップ２３と内フラップ２４の端部とが干渉し、箱２２の側面に強い力が加わったため破損した状態を示したものである。【００１６】  本発明は、前記の箱２の破損を防止するため、次のような機構をもち作動する。
図１に示す通り、台座５はリンク機構（Ａ）１０、リンク機構（Ｂ）１１に支持され、前記のリンク機構は台座５上に荷重がかかった時、外側に移動し易くするため、垂直方向に対し、約５度の開角度δを付けてある。また、本外フラップ開装置１は大小の箱に適用できるよう、台座５の水平方向に幅を取り、箱最小幅Ａから箱最大幅Ｂまで搭載可能としてある。【００１７】  図２は、台座５に箱２が搭載されている状態を示したもので、図３は台座５に箱２が搭載され、箱２に垂直方向から手動で荷重をかけた時、台座５が外方向に移動することで外フラップ３は外方向に開かれる。外フラップ３は規定の角度に開かれた時、ストッパー（Ｂ）９で止まる。【００１８】  前記の作動で、箱２の外フラップ３が開いた状態で、即、内フラップ４が内側に折り曲げられる。このため、外フラップ３と内フラップ４が相互に干渉し箱２が破損することは防止できる。【００１９】  外フラップ３と内フラップ４が折り畳められ、箱が台座５から取り外された時点で、本外フラップ開装置１は内側のバランスウエイト（Ａ）６の作動で始動前の原点に戻る。
本作動の繰り返しで、内外フラップ４、３は相互に干渉することなく、箱組立は繰り返される。
【発明を実施するための異なる形態】
【００２０】  次に、図４ないし図９に示す本発明の異なる形態について説明する。
尚、これらの発明の実施するための異なる形態の説明に当って、前記本発明の第１の実施するための最良の形態と同一構成部分には同一符号を付して重複説明を省略する。
【００２１】  図４ないし図６の本発明の第２の実施するための形態において、前記本発明の第１の実施するための形態と異なる点は、台座５に設けた内側のバランスウエイト（Ａ）６と外側に設けたバランスウエイト（Ｂ）７とがバランスしていることである。
このため、箱２を台座５上に搭載すると箱２の自重で、外フラップ３は台座５と共に外側に移動し、規定の開角度δへと移動後、ストッパー（Ｂ）９で静止する。このような動きで、外フラップ３が開いた状態で内フラップ４は内側に折り畳みができるので、相互に干渉されず箱の破損もなく箱組立ができる。
【００２２】  図７ないし図９は本発明の第３の実施するための形態において、前記本発明の第２の実施形態と主に異なる点は、外側のバランスウエイト（Ｂ）７が外側に移動する力にたいし、内側に引き付ける力として弾性体（引張りバネ）１３を用い、内外のバランスを取っていることである。
このため、台座５の上に箱２を搭載したとき、外フラップ３は台座５と共に瞬時に外方向に移動し、規定の開角度へと移動後、ストッパ９で静止する。このため、実施例２と同様内外フラップの干渉による箱の破損は防止できる。
尚，本発明の装置では内側に引き付ける力として弾性体である引張りバネを適用しているが、ラバー等の弾性体を適用してもよい。
【００２３】  前記の通り、本装置は作動源としてのシリンダー、小型モーター等を用いることなく、台座５上の内側に設けたバランスウエイト（Ａ）６と外側に設けたバランスウエイト（Ｂ）７、及び、外側に設けたバランスウエイト（Ｂ）７と弾性体（引張バネ）１３とでバランスをとる機構のため装置は簡素化される。
【産業上の利用可能性】
【００２４】  本発明は、箱の組立をする製造業分野で利用される。
【図面の簡単な説明】
【００２５】
【図１】本発明の第１の実施の形態における開装置の説明図。
【図２】本発明の第１の実施の形態における開装置に箱未搭載の図。
【図３】本発明の第１の実施の形態における開装置に箱の自重が加わった図。
【図４】本発明の第２の実施の形態における開装置の説明図。
【図５】本発明の第２の実施の形態における開装置に箱未搭載の図。
【図６】本発明の第２の実施の形態における開装置に箱の自重の加わった図。
【図７】本発明の第３の実施の形態における開装置の説明図。
【図８】本発明の第３の実施の形態における開装置に箱未搭載の図。
【図９】本発明の第３の実施の形態における開装置に箱の自重の加わった図。
【図１０】内外フラップの干渉による箱の破損状態を示した図。
【符号の説明】
【００２６】１：外フラップ開装置、
２、２２：箱、
３、２３：外フラップ、
４、２４：内フラップ、
５：台座、
６：バランスウエイト（Ａ）、
７：バランスウエイト（Ｂ）、
８：ストッパー（Ａ）、
９：ストッパー（Ｂ）、
１０：リンク機構（Ａ）、
１１：リンク機構（Ｂ）、
１２：リンク機構（Ｃ）
１３：弾性体（引張りバネ）
Ａ：箱最小幅、
Ｂ：箱最大幅、
δ：開角度、
Ｐ：ケース差込方向
【図１】
2006150918.tif 000003
【図２】
2006150918.tif 000004
【図３】
2006150918.tif 000005
【図４】
2006150918.tif 000006
【図５】
2006150918.tif 000007
【図６】
2006150918.tif 000008
【図７】
2006150918.tif 000009
【図８】
2006150918.tif 000010
【図９】
2006150918.tif 000011
【図１０】
2006150918.tif 000012